(57)【特許請求の範囲】
【請求項１】
デラミ容器と、弁体を取着した中栓と、上部に櫛体を取り付けたキャップとからなる櫛付塗布用具であって、
前記デラミ容器は、空気導入孔を穿孔した口筒部と肩周壁を設けた肩部、胴部と底部とを具備しており、
前記キャップは、嵌着筒と櫛支持筒を立設した上壁を具備しており、
上壁には、外気取入れ孔が穿設され、
中栓に設けた連通孔、およびキャップの嵌着筒と容器口筒部との間に設けられた切欠部によって空気通路が形成され、該空気通路を介して外気取入れ孔と空気導入孔が連通されており、
嵌着筒には、下端部内周に容器の肩周壁を密封する膨出環が突設されており、
前記櫛体は、櫛と基台とからなり、基台の下部にキャップの上壁上面を被うカバーを配設したことを特徴とする櫛付塗布用具。
【発明の詳細な説明】
【０００１】
【発明の属する技術分野】
本発明は、櫛付塗布用具、とくに容器口筒部に櫛を取り付けた整髪料、毛染め料等の毛髪用内容液の櫛付塗布用具に関する。
【０００２】
【従来の技術】
整髪料、毛染め料等を収容したデラミ容器の口筒部に、弁体を取着した中栓を装着し、櫛体を取着したキャップを被嵌するようにした毛髪用内容液の塗布用具は、本発明の出願前に提案されている。
【０００３】
【発明が解決しようとする課題】
塗布用具に使用されるデラミ容器は、押圧操作により変形され、その後に復元可能な可撓性を有する外側層と、該外側層から剥離自在、かつ変形自在の内袋とからなっており、容器を押圧したときに、押圧力によって内袋から中栓の吐出弁を介して櫛体に内容物を吐出するようにしている。
その際、外側層と内袋との剥離層内に大気が導入されるとともに、導入された空気が、次の容器押圧時に大気中に押し戻されないようにするため、キャップの外周壁に内側に吸入弁を設けた外気取入れ孔を配設したキャップを用いている。
そして、外気取入れ孔は、弁体の製造、取付構造を簡単にするため、通常にはキャップ上壁に設けられている。
【０００４】
しかし、キャップの上壁上面に、内側に吸入弁を設けた外気取入れ孔を設けておくと、櫛から吐出され余った内容物が垂れ落ちて外気取入れ孔に入ったり、また垂れ落ちた内容物をふき取るときに注意しないと外気取入れ孔が部分的に塞がれるおそれがある。
【０００５】
本発明は、櫛体の基部に設けたカバーによってキャップの上壁上面の外気取入れ孔を被うようにした櫛付塗布用具を提供することを目的とする。
【０００６】
【課題を解決するための手段】
本発明は、櫛付塗布用具として、デラミ容器と、弁体を取着した中栓と、上部に櫛体を取り付けたキャップとからなる櫛付塗布用具であって、前記デラミ容器は、空気導入孔を穿孔した口筒部と肩周壁を設けた肩部、胴部と底部とを具備しており、前記キャップは、嵌着筒と櫛支持筒を立設した上壁を具備しており、上壁には、外気取入れ孔が穿設され、中栓に設けた連通孔、およびキャップの嵌着筒と容器口筒部との間に設けられた切欠部によって空気通路が形成され、該空気通路を介して外気取入れ孔と空気導入孔が連通されており、嵌着筒には、下端部内周に容器の肩周壁を密封する膨出環が突設されており、前記櫛体は、櫛と基台とからなり、基台の下部にキャップの上壁上面を被うカバーを配設した構成を採用する。
【０００７】
【発明の実施の形態】
図１において、Ａは整髪料、毛染め料等を収納したデラミ容器、Ｂは中栓、Ｃは中栓に取着された弁体、Ｄは弁体Ｃを取着した中栓Ｂを容器口筒部に取着するキャップ、ＥはキャップＤに取着された櫛体である。
【０００８】
図２に示すように、デラミ容器Ａは、外側層１と該外側層１に剥離自在として積層された内側層２とを有し、口筒部３と該口筒部３に続く肩部４、胴部５と底部６よりなっている。
外側層１は、押圧操作によって変形されるとともに、押圧を解いた時に復元され、容器の外観形状を維持するもので、素材として高密度ポリエチレンその他の可撓性樹脂が用いられる。
内側層２は、外側層１から剥離自在かつ変形自在の内袋で、素材としてナイロン、ＥＶＯＨ等の柔軟性のある樹脂が用いられる。
【０００９】
前記口筒部３外周には、上下方向に切欠部７を設けたネジ８が刻設されており、切欠部７の下方には、外側層１と内側層２との間に大気を導入する空気導入孔９が、外側層１に穿孔されている。
口筒部４の上端には、上端面を被うよう内側層２により係止部１０が形成されており、内容液の吐出時に内側層２の沈み込みを防ぐようにしている。
【００１０】
肩部４は、口筒部３に続く肩周壁１１を有しており、胴部５は、円形もしくは楕円形となっている。
底部６には、底シール部１２に沿って凹部１３が設けられ、外側層１と同一の樹脂あるいはホットメルト接着剤等によってシール部を被覆接着するようにしている。
【００１１】
図３に示すように、中栓Ｂは中央部に弁孔１５を穿設した基板１６と、該基板１６の外周から立設する側筒１７とを具えている。
基板１６の上面には、基板１６の外周と側筒１７の内側に弁体支持筒１８が立設されており、基板１６の下面には、容器口筒部３内周に嵌着する嵌合筒１９が垂設されている。
基板１６の周縁の所定個所には、側筒１７の一部を削り、側筒１７の内周と基板１６周縁下面とを連通させる連通孔２０が穿設されている。
【００１２】
図４に示すように、弁体Ｃは、柔軟な合成樹脂、またはエラストマーによって成形されており、弁保持筒２１と、該弁保持筒２１の内外に形成された二つの弁からなっている。
弁保持筒２１の下面内周には、吐出弁２２が複数の連結片２３を介して取着されており、連結片２３は、吐出弁２２の外周縁と弁保持筒２１の内周縁に沿って所定間隔毎に接続部を残して切り込みが入れられ、吐出弁２２と弁保持筒２１との間に周方向に延在するように形成されている。
弁保持筒２１の外周には、外周からフランジ状に突出した吸入弁２４が突設されており、吸入弁２４の上面には、周縁近くに膨出環２５が突設されている。
【００１３】
図５に示すように、キャツプＤは、嵌着筒３０と、櫛支持筒３１を中央開口部に立設した上壁３２とを有している。
嵌着筒３０の内周には、上部に中栓支持面３３が配設され、その内周下端には、膨出環３４が設けられている。
中栓支持面３３の下方には、容器口筒部３のネジ８に螺合するネジ３５が刻設されており、ネジ３５刻設面の下部は、拡径されて肩部係合面３６が形成されている。
前記中栓支持面３３、肩部係合面３６には、それぞれ膨出環３７、３８が設けられている。
【００１４】
嵌着筒３０の外周は段部３９が設けられ、上方部は下部より縮径され、上壁３２に続くほぼ円錐形状の上筒４０となっている。
嵌着筒３０の下方部は、所定の間隔をおいて複数個の突条４１が設けられている。
上壁３２の所定個所には、外気取入れ孔４２が穿孔されており、上壁３２の下面には、環状の弁係止溝４３が刻設されている。
【００１５】
櫛支持筒３１は、上壁３２の内周縁より上方に延びており、上壁３２内周縁下面には、弁保持筒２１の係止部４４が設けられている。
係止部４４の上方には、内方に突出する係止片４５が設けられており、その上方には、複数の凹条４６が刻設されている。
【００１６】
図６に示すように、櫛体Ｅは、基台５０と基台５０に取着された櫛５１とからなっている。
基台５０は、その下端部に取付筒５２と傘状カバー５３とを有している。
基台５０の内部は、液通路５４となっており、取付筒５２の下端外周には、前記櫛支持筒３１の係止部４４に係合するよう膨出部５５が設けられており、取付筒５２の上方外周には、前記凹条４６に係合する多数の突条５６が設けられている。
【００１７】
傘状カバー５３は、前記キャップＤの上筒４０と上壁３２とを被うようになっており、傘状カバー５３の内周下方部には、所定の間隔をおいて多数のリブ５７が突設されて、上筒４０外周に接するようになっている。
櫛５１は、内部に流路孔５８を設け、所定位置に吐出孔５９を設けた多数の櫛歯６０と、各櫛歯６０を連結する連結板６１とからなっており、各櫛歯６０の根元部６２は、基台５０に設けられた挿入孔６３に嵌挿され、連結板６１の根元側の側面は、基台５０の側面に接合されている。
【００１８】
次に、本塗布用具の組立と容器を構成する各部品の関係について、図７を参照して説明する。
塗布用具の組立にあたっては、まず、弁体Ｃが中栓Ｂに取り付けられる。
その際、弁保持筒２１は、中栓Ｂの弁体支持筒１８に嵌着され、弁保持筒２１の下端は、中栓Ｂの基板１６に圧接される。
そして、吐出弁２２の下面は、中栓Ｂの基板１６に接合され、吐出弁２２は基板１６の中央部の弁孔１５を塞ぐことになる。
【００１９】
次に、弁体Ｃを取り付けた中栓ＢをキャップＤ内に組み込む。
その際、中栓Ｂ基板１６の下面周縁は、中栓支持面３３の下端の膨出環３４で押さえられ、側筒１７は、上壁３２の下面と膨出環３４との間で中栓支持面３３に支持される。
弁保持筒２１の上端は、上壁３２の係止部４４に係止され、吸入弁２４が上壁３２下面に圧接され、外気取入れ孔４２を塞ぐことになる。
【００２０】
次に、櫛体Ｅの基台５０の取付筒５２を、キャップＤの櫛支持筒３１に嵌着する。
その際、突条５６が凹条４６に係合して廻動が阻止され、周方向と上下方向に位置決めされる。
それとともに、傘状カバー５３のリブ５７が、キャップＤの上筒４０外周に圧接され、傘状カバー５３の下端と嵌着筒３０の段部３９との間に一定の隙間を形成して嵌着され、上筒４０と傘状カバー５３との間に空気通路を形成する。
かくして、弁体Ｃ、中栓Ｂ、櫛体Ｅをセットした櫛を取付けたキャップＤが得られる。
【００２１】
次に、櫛を取付けたキャップＤを容器口筒部３に螺着する。
その際、中栓Ｂの嵌合筒１９は、口筒部３内周に嵌合されて容器口筒部３を密封する。
キャップＤを締め終わったときには、中栓Ｂの基板１６が口筒部３上端を押圧すると同時にキャップＤは一定の廻動位置に位置決めされる。
【００２２】
嵌着筒３０下端内周の肩部係合面３６は、容器肩部４の肩周壁１１に一定の締め代をもって嵌合されるとともに、膨出環３８によって完全に密封される。
そして、矢印で示すように、傘状カバー５３とキャップＤの上筒４０との間、キャップ上壁３２の外気取入れ孔４２、連通孔２０、口筒部３のネジ８の切欠部７を通じて、外気と容器口筒部３の空気導入孔９との間に空気通路Ｘが形成される。
【００２３】
次に、本櫛付塗布用具の使用態様と構成に基づく作用効果について説明する。
デラミ容器には、内容液として、粘性物、液体状の整髪料、毛染め料等が収納されており、仮蓋用キャップによりパッキンＰを挟んで被嵌され、弁体Ｃ、中栓Ｂ、櫛体Ｅをセットした櫛を取付けたキャップＤとともに市場に販売提供される。
使用にあたって、容器の仮蓋用キャップを取り外し、櫛を取付けたキャップＤに着け替える。
【００２４】
デラミ容器Ａを押圧すると、内圧の上昇により吐出弁２２が開かれ、容器内の内容物が、基台５０内の液通路５４を通って各櫛歯６０に送られ、各吐出孔５９より吐出される。
次いで、押圧が解かれると、容器胴部５が復元し容器内が減圧され、減圧に応じて、吐出弁２２が閉じ、吸入弁２４が開かれ、外気取入れ孔４２から大気が吸い込まれ、空気通路Ｘを通って空気導入孔９に導入される。
空気導入孔９から内側層２と外側層１との間に大気が吸入され、内側層２が剥離され剥離層が形成される。
外側層１が完全に復元し、剥離層内の内圧が外気に等しくなると、空気の流通がなくなり、吸入弁２４も閉じられる。
【００２５】
次に、デラミ容器Ａを再押圧すると容器内の内圧が高くなるが、剥離層内の空気は吸入弁２４が閉じられているので排出されることはなく、内圧の上昇に応じて吐出弁２２が開かれ、内容物が各櫛歯６０の吐出孔５９より吐出される。
かくして、容器の押圧に応じ、押圧量に応じた内容液が吐出される。
【００２６】
使用途中、または使用後に容器を立てておくと、余った内容液が基台５０を伝わって垂れるが、表面が滑らかな傘状カバー５３であるので、液を容易にふき取ることができ、その際、余分の液がキャップの上壁３２に付着することもないので、外気取入れ孔４２が付着した液によって塞がれることはない。
【００２７】
前記実施形態では、カバーを、櫛体の基台５０下端部から傘状に拡がる傘状カバー５３としているが、別実施形態として取付筒５２の上方部分からフランジ状にひろがる上壁とその周縁から垂下する筒体からなるカバー体（図示しない）でもよい。
また、カバーの構成は、キャップ上壁３２に穿孔された外気取入れ孔４２を被う部材を有すればよく、上記各実施形態として示したものに限定されない。
【００２８】
【発明の効果】
本発明は、上記のように構成されているから、次の効果を奏する。
キャップ内側に吸入弁を設けた外気取入れ孔を配設し、外気取入れ孔と容器口筒部の空気導入孔とを空気通路によって連通しているので、デラミ容器の押圧操作によって押圧量に応じた内容液を櫛から吐出することができる。
キャップの上壁をカバーで被うようにしているので、基台を伝わって垂れた内容液によって、外気取入れ孔が塞がれることはない。
【図面の簡単な説明】
【図１】  本発明の塗布用具の一部断面正面図である。
【図２】  デラミ容器の説明図で、（ａ）は平面図、（ｂ）は一部断面正面図である。
【図３】  中栓の一部断面正面図である。
【図４】  弁体の説明図で、（ａ）は平面図、（ｂ）は一部断面正面図である。
【図５】    キャップの説明図で、（ａ）は平面図、（ｂ）は一部断面正面図である。
【図６】    櫛体の説明図で、（ａ）は一部断面正面図、（ｂ）は底面図である。
【図７】    塗布用具の主要部の説明図である。
【図１】
0004024396.tif 000002
【図２】
0004024396.tif 000003
【図３】
0004024396.tif 000004
【図４】
0004024396.tif 000005
【図５】
0004024396.tif 000006
【図６】
0004024396.tif 000007
【図７】
0004024396.tif 000008